(57)【要約】【課題】産業で使用する場合に十分に確実な接続を保証する、プラグ及びプラグソケット間を堅牢に接続できる電気プラグ、電気プラグソケット及びフレームの提供の提供。【解決手段】プラグソケットに接続するための電気プラグ（１０）はプラグ接触部（１８）を具備し、プラグ接触部（１８）はプラグ（１０）及びプラグソケット間に１個以上の電気接続部を形成する１個以上のコンタクトを有する。プラグ（１０）はまたラッチばね（３２）を具備する。ラッチばね（３２）は、プラグをプラグソケットの第１ソケットラッチ部材にラッチさせる第１プラグラッチ部材（３６）、電気プラグをプラグソケットの第２ソケットラッチ部材にラッチさせる第２プラグラッチ部材（３８）を有する。【選択図】図４
2006049325.tif 000002
【特許請求の範囲】
【請求項１】
プラグソケット（７０）に接続するための電気プラグ（１０）であって、該プラグ（１０）及び前記プラグソケット間に１個以上の電気接続部を形成する１個以上のコンタクト（５４）を有するプラグ接触部（１８）と、前記プラグを前記プラグソケットの第１ソケットラッチ部材（７８）にラッチさせる第１プラグラッチ部材（３６）を有するラッチばね（３２）とを具備する電気プラグにおいて、
前記プラグ（１０）を前記プラグソケット（７０）の第２ソケットラッチ部材（８０）にラッチさせる第２プラグラッチ部材（３８）を具備することを特徴とする電気プラグ。
【請求項２】
前記第１プラグラッチ部材（３６）及び前記第２プラグラッチ部材（３８）は、前記プラグ（１０）が前記プラグソケット（７０）に挿入される挿入方向に沿って互いに離間して配置されていることを特徴とする請求項１記載の電気プラグ。
【請求項３】
前記プラグソケット（７０）内のウエブ（８２）に前記プラグ（１０）を案内するために、前記プラグが前記プラグソケット（７０）に挿入される挿入方向と平行な溝（４０）をさらに具備することを特徴とする請求項１又は２記載の電気プラグ。
【請求項４】
前記プラグは、前記ラッチばね（３２）が一体化されるハウジング（１２，１４）を具備することを特徴とする請求項１ないし３のうちいずれか１項記載の電気プラグ。
【請求項５】
ケーブル（２２）が前記プラグ（１０）内に挿入できる開位置及び前記ケーブルが機械的及び電気的に前記プラグに接続される閉位置間を旋回するように互いに接続された第１ハウジング部（１２）及び第２ハウジング部（１４）と、
前記ケーブルの回りを回転するように前記第１ハウジング部（１２）に接続された閉鎖片（２０）とをさらに具備し、
該閉鎖片（２０）は、前記第１ハウジング部（１２）及び前記第２ハウジング部（１４）を前記閉位置にロックするロック位置を有することを特徴とする請求項１ないし４のうちいずれか１項記載の電気プラグ。
【請求項６】
封止スリーブ（６２）をさらに具備し、
該封止スリーブは、前記プラグ（１０）が前記封止スリーブに適合する前記プラグソケット内に位置すると、前記プラグを少なくとも部分的に取り囲み、前記プラグのケーブル接続領域（１６，５２）及びコンタクト（５４）を保護することを特徴とする請求項１ないし５のうちいずれか１項記載の電気プラグ。
【請求項７】
前記プラグ（１０）が前記プラグソケット（７０）に挿入される挿入方向と平行にねじ回し（４２）の先端を受容するための受容部（４４）をさらに具備し、
前記ラッチばね（３２）は、前記ねじ回し（４２）を前記受容部（４４）内に挿入するか、又は前記受容部内で前記ねじ回しを回転させることにより、前記プラグソケット（７０）の前記ソケットラッチ部材（７８，８０）に対する前記プラグ（１０）の前記プラグラッチ部材（３６，３８）のラッチ接続が解除されるロック解除位置に変位することを特徴とする請求項１ないし６のうちいずれか１項記載の電気プラグ。
【請求項８】
前記ケーブル（２２）は、前記プラグ（１０）が前記プラグソケット（７０）に挿入される挿入方向に対して４５°の角度で前記プラグ（１０）に接続されていることを特徴とする請求項１ないし７のうちいずれか１項記載の電気プラグ。
【請求項９】
前記ケーブル（２２）は、前記プラグ（１０）が前記プラグソケット（７０）に挿入される挿入方向に対して９０°の角度で前記プラグ（１０）に接続されていることを特徴とする請求項１ないし７のうちいずれか１項記載の電気プラグ。
【請求項１０】
前記ハウジング（１２，１４）は、金属製、又は電気導体がコーティングされた絶縁体製であることを特徴とする請求項１ないし９のうちいずれか１項記載の電気プラグ。
【請求項１１】
前記ラッチばね（３２）は金属製であることを特徴とする請求項１ないし１０のうちいずれか１項記載の電気プラグ。
【請求項１２】
プラグ（１０）に接続するための電気プラグソケット（７０）であって、該プラグソケット（７０）及び前記プラグ（１０）間に１個以上の電気接続部を形成する１個以上のコンタクトを有するプラグ接触部（７６）と、前記プラグソケットを前記プラグの第１プラグラッチ部材（３６）にラッチさせる第１ソケットラッチ部材（７８）とを具備する電気プラグソケットにおいて、
前記プラグソケットを前記プラグの第２プラグラッチ部材（３８）にラッチさせる第２ソケットラッチ部材（８０）を具備することを特徴とする電気プラグソケット。
【請求項１３】
前記第１ソケットラッチ部材（７８）及び前記第２ソケットラッチ部材（８０）は、前記プラグ（１０）が前記プラグソケット（７０）に挿入される挿入方向に沿って互いに離間して配置されていることを特徴とする請求項１２記載の電気プラグソケット。
【請求項１４】
前記プラグソケット（７０）に前記プラグ（１０）の溝（４０）を案内するために、前記プラグが前記プラグソケットに挿入される挿入方向と平行なウエブ（８２）をさらに具備することを特徴とする請求項１２又は１３記載の電気プラグソケット。
【請求項１５】
前記電気プラグソケットがデバイスハウジング（７４）に一体化されていることを特徴とする請求項１２ないし１４のうちいずれか１項記載の電気プラグソケット。
【請求項１６】
前記プラグ接触部が配置された前記プラグソケットの第１部分（７２）が、前記第２ソケットラッチ部材が配置された前記プラグソケットの第２部分（７６）と一体であることを特徴とする請求項１２ないし１５のうちいずれか１項記載の電気プラグソケット。
【請求項１７】
前記第１部分（７２）及び前記第２部分（７６）は一体の射出成形部品で形成されていることを特徴とする請求項１６記載の電気プラグソケット。
【請求項１８】
ソケットラッチ部材（７８）を具備するプラグソケット（７６）に堅く接続するためのフレーム（７２）であって、
プラグ（１０）が前記プラグソケットに挿入される際に前記フレームに堅く接続される前記プラグの第２プラグラッチ部材（３８）に前記フレームをラッチさせるために前記フレーム上にフレームラッチ部材（８０）を具備し、
前記プラグの第１プラグラッチ部材（３６）は、前記プラグソケットのソケットラッチ部材（７８）にラッチされることを特徴とするフレーム。
【請求項１９】
前記フレームを前記プラグソケット（７６）又はハウジング壁（７４）にしっかりと接続するために、１個以上の別のラッチ部材又は１個以上のねじ接続部をさらに具備することを特徴とする請求項１８記載のフレーム。
【請求項２０】
前記フレームはハウジング壁（７４）と一体であることを特徴とする請求項１８又は１９記載のフレーム。
【発明の詳細な説明】
【技術分野】
【０００１】
本発明は、ラッチ部材により互いにラッチすることができる電気プラグ及び電気プラグソケットに関する。
【背景技術】
【０００２】
電気プラグ及びプラグを受容する電気プラグソケットは、当業界で多数知られている。それらプラグは、主にコンタクトの数、形状、寸法及び構造、電磁障害からの保護、高周波特性及び電流容量が異なっている。電気プラグ及びプラグソケットの重要な特徴は、プラグをプラグソケットに永久的であるが取り外し可能に固定すなわちロックするための固定すなわちロック装置である。従来のバナナプラグ、欧州標準プラグ、及び接地コンタクトを有するプラグはプラグ接続の摩擦の結果、例えば対応するソケット又はアウトレットに保持されるのに対し、他のプラグはバイヨネット留め具、結合リング又はねじフランジを使用するプラグソケットに保持される。
【０００３】
電気プラグソケットに電気プラグを固定する特別の利点は、そのラッチ接続部を含むことである。プラグ及びプラグソケットは、プラグソケット内にプラグを挿入する際にプラグ及びプラグソケットのラッチ部材が互いに係合するよう、自動的に接続される。ラッチ接続部は、一方のラッチ部材が他方のラッチ部材に対して挿入方向に対して横断する方向に変位する結果、２個のラッチ部材が最早係合しないよう、容易に解除される。このため、プラグ及びプラグソケット間の張力は、ラッチ接続部を介して特に簡単な方法で特に迅速に生成され、その後解除することができる。多くの場合、ラッチ接続部を解除する場合においても工具を要しない。
【０００４】
ラッチ係合によりプラグソケットに固定できる電気プラグの一例は特許文献１に開示されている。電気プラグは、一側のプラグ接触部に複数のコンタクトを具備する。プラグ接触部の反対側には、対称的なラッチフックの対がラッチばね上に配置されている。このラッチフック対は唯一のプラグラッチ部材であり、ラッチ接続を解除するために駆動ハンドルを押圧することにより変位できる。
【特許文献１】国際公開第０２／１５３４０号明細書
【特許文献２】独国特許第１００２８４０７号明細書
【特許文献３】独国特許出願公開第１０１１０４７０号明細書
【特許文献４】独国実用新案第２０１０６２９７号明細書
【特許文献５】国際公開第０１／２０７２９号明細書
【特許文献６】国際公開第０２／１５３４３号明細書
【特許文献７】独国特許第３９３２７０９号明細書
【特許文献８】米国特許第６５８５５３６号明細書
【発明の開示】
【発明が解決しようとする課題】
【０００５】
上述した従来のプラグの一欠点は、プラグ及びプラグソケットのラッチ接続が、産業で使用する場合に十分に確実な接続を保証することができないことである。
【０００６】
従って、本発明は、プラグ及びプラグソケット間を堅牢に接続できる、電気プラグ、電気プラグソケット及びフレームを提供することを目的とする。
【課題を解決するための手段】
【０００７】
本発明の目的は、請求項１に従った電気プラグ、請求項１２に従った電気プラグソケット及び請求項１８に従ったフレームにより達成される。好適な成果は従属請求項で定義される。
【０００８】
本発明は、プラグソケットに接続するための電気プラグを提供する。電気プラグはプラグ接触部を具備し、プラグ接触部はプラグ及びプラグソケット間に１個以上の電気接続部を形成する１個以上のコンタクトを有する。電気プラグはまたラッチばねを具備する。ラッチばねは、プラグをプラグソケットの第１ソケットラッチ部材にラッチさせる第１プラグラッチ部材、プラグをプラグソケットの第２ソケットラッチ部材にラッチさせる第２プラグラッチ部材を有する。
【０００９】
本発明はまた、プラグに接続するための電気プラグソケットを提供する。電気プラグソケットはプラグ接触部を具備し、プラグ接触部は、プラグソケット及びプラグ間に１個以上の電気接続部を形成する１個以上のコンタクトを有する。電気プラグソケットはまた、プラグソケットをプラグの第１プラグラッチ部材にラッチさせる第１ソケットラッチ部材と、プラグソケットをプラグの第２プラグラッチ部材にラッチさせる第２ソケットラッチ部材とを具備する。
【００１０】
本発明はまた、ソケットラッチ部材を具備するプラグソケットに堅く接続するためのフレームを提供する。フレームは、プラグがプラグソケットに挿入される際にフレームに堅く接続されるプラグの第２プラグラッチ部材にフレームをラッチさせるためにフレーム上にフレームラッチ部材を具備する。プラグの第１プラグラッチ部材は、プラグソケットのソケットラッチ部材にラッチされる。
【００１１】
本発明は、対応する相互にラッチする第１ラッチ部材に加え、電気プラグソケットを補うために電気プラグ、電気プラグソケット又はフレーム内に、第２ラッチ接続部を形成する相互に対応する第２ラッチ部材を設けるという技術思想に基づく。プラグ、プラグソケット又はフレーム間のこの第２ラッチ接続部の結果、これら２者間の機械的接続部が実質的に補強される。このため、プラグ接続部の信頼性の増大が厳しい作動条件、特に産業での使用においてさえも確保される。両ラッチ接続部は機械的な接続効果を同時に有するか、又は第２ラッチ接続部により機械的接続部が圧倒的又は排他的に確保される。
【００１２】
第１ラッチ部材及び第２ラッチ部材は、互いに離間して設定されるか、挿入方向に互いに対してオフセットするのが好適である。ここで、プラグはプラグソケット内に挿入されることができる。その結果、プラグ接触部及び第１ラッチ部材は規格に対応するので、第２ラッチ部材はプラグ及びプラグソケットが規格化される領域の外側に配置される場合、本発明に従ったプラグは従来の規格化されたソケットに結合されるか、従来の規格化されたプラグは本発明に従ったプラグソケットに結合されることが特に可能である。このような互換性の実際の利点は明白であり、評価し過ぎることがない。規格化されたプラグ又はプラグソケットは、例えばＲＪプラグ又はＲＪプラグソケットを具備する。
【発明を実施するための最良の形態】
【００１３】
以下、添付図面を参照して本発明の好適な実施形態を詳細に説明する。
【００１４】
図１は、本発明の第１好適実施形態に従ったプラグ１０を示す斜視図である。プラグ１０は、旋回できるように互いに結合された第１ハウジング部１２及び第２ハウジング部１４を具備する。図１は開状態にある２個のハウジング部１２，１４を示す。この開状態では、図２を参照してより詳細に説明するように、ケーブルがプラグ１０内に挿入可能である。旋回蓋又は枢軸蓋とも称されるケーブル端部受容部１６も、ハウジング部１２，１４に結合されている。ケーブル端部受容部１６は、第２ハウジング部１４が第１ハウジング部１２に対して旋回できる軸と同一の軸の回りに旋回できる。ケーブル端部受容部１６は複数（本第１実施形態では４個）の溝を具備し、これら溝内に、プラグ１０に接続されるケーブルの個々の導電体が載置又は挿入される。
【００１５】
プラグ接触部１８は、ハウジング部１２，１４の一方に、例えばここで説明されている第１好適実施形態では第１ハウジング部１２にしっかりと接続されている。閉鎖片２０は、ハウジング部１２，１４の一方に、例えばここで説明されている第１好適実施形態では第１ハウジング部１２に回転可能に接続されている。閉鎖片２０は、ケーブルがプラグ１０に挿入されプラグ１０が閉じる際のケーブルの位置と一致する軸の回りを回転可能である。換言すると、閉鎖片２０は、閉じたプラグ１０内に挿入されるケーブルの回りを回転可能である。閉鎖片２０はほぼＵ形状をなす。図１において、Ｕ形状の開放部分が第２ハウジング部１４の方を向く位置で図示されているので、ケーブルはプラグ１０内に挿入することができる。閉鎖片２０は、閉鎖片２０を回すことができるねじ回しが導入される穴を具備する。或いは、又は付加的に、閉鎖片２０は、閉鎖片２０を開閉するためオープンエンドスパナが係合する、相互に逆向きの２平行平面を具備する。
【００１６】
図２は、本発明の第１好適実施形態に従ったプラグ１０の別の斜視図である。この図において、ケーブル２２はプラグ１０内に既に挿入されている。ケーブル２２の個々の導体２６はケーブル２２の一端部で露出しており、ケーブル端部受容部１６の溝内に導入されている。シールド編組２４は、ケーブル２２の隣接する部分で露出している。
【００１７】
第１ハウジング部１２に向かってケーブル端部受容部１６を旋回することにより、個別導体２６が接触する。この接触は、第１ハウジング部１２にしっかりと接続され、各個別導体２６の絶縁体を横切り、個別導体２６と接触する圧接コンタクトにより生ずる。或いは、圧着コンタクト、ピアシングコンタクト等が使用される。
【００１８】
ケーブル２２の露出したシールド編組２４は第１ハウジング部１２と接触し、ケーブル端部受容部１６の下方へ向かう旋回中に第１ハウジング部１２の導電性部分（図示せず）と接触し、第１ハウジング部１２への第２ハウジング部１４の下方へ向かう旋回中に第２ハウジング部１４の導電性部分２８と接触する。第１ハウジング部１２の導電性部分及び第２ハウジング部１４の導電性部分２８は、閉状態でプラグ１０を電磁干渉から遮蔽する、ハウジング部１２，１４の導電性コーティング、金属コーティング又は金属インサートに導電接続される。好適な一変形によれば、ハウジング部１２，２４は例えば圧力ダイカスト部品等の全体が金属で形成され、この結果、特にシールド保護及び特に高レベルの機械的堅牢性が達成される。
【００１９】
図３は、第１好適実施形態に従ったプラグ１０の別の斜視図である。プラグ１０は閉状態で図示され、第２ハウジング部１４は第１ハウジング部１２の方へ旋回している。この状態では上述したように、ケーブル２２のシールド編組２４が両ハウジング部１２，１４の導電性部分と接触するので、電磁放射からの完全な保護が確保されている。さらに、プラグ１０のこの閉位置において、ケーブル２２はハウジング部１２，１４間に挟まれることにより保持されている。
【００２０】
図１及び図２と比較して閉鎖片２０はケーブル２２の回りを９０°回転した状態も図３に示されている。このロック位置において、閉鎖片２０は、ハウジング部１２，１４を共に保持し、又はハウジング部１２，１４を閉位置にロックする。
【００２１】
図４は、本発明の第１好適実施形態に従ったプラグ１０の別の斜視図である。プラグ１０は正反対から見て示される。特に、第１ハウジング部１２の図１ないし図３では隠れていた下側が見える。ラッチばね３２は、第１ハウジング部１２の下側に配置されている。このラッチばね３２は打抜き加工及び曲げ加工された金属板からなり、局部構成に依存して局部的に変化する弾性特性を示すのが好適である。ラッチばね３２は、第１ハウジング部１２に対して移動可能に係留接続され、図４に示された位置と、以下に説明するロック解除位置との間を変位可能である。このため、ラッチばね３２は、第１ハウジング部１２の全てを含む最小限の凸エンクロージャから少なくとも第１ハウジング部１２の領域において突出しないか、実質的に突出しない限り、プラグ１０内に、特に第１ハウジング部１２内に一体化される。換言すると、ラッチばね３２は、第１ハウジング部１２に向かって又は第１ハウジング部１２から離れて突出するいかなる部品をも有していない。
【００２２】
ラッチばね３２は、プラグ接触部１８と平行に延びる部分３４を具備する。この部分３４の端部は、横から見るとほぼ鋸歯の輪郭を呈するラッチ部材３６の形状に構成される。第１ラッチ部材３６の形状、寸法及び構造は、プラグ１０をこの目的のために設けられたプラグソケットに挿入する際に、ラッチ部材３６がプラグソケットの対応するラッチ部材にラッチ係合する。
【００２３】
本発明のここに示された第１好適実施形態において、プラグ接触部１８及び第１ラッチ部材３６は、ＲＪ４５ソケットと互換できるように構成される。換言すると、プラグ１０は、第１ラッチ部材３６とラッチするＲＪ４５ソケット内に、従来のＲＪ４５プラグと同様に挿入できる。
【００２４】
しかし、第１ラッチ部材３６に加え、本発明に従ったプラグ１０はまた、ラッチばね３２上に対称的に構成された２個の突部３８の形態の第２ラッチ部材を具備する。突部３８は、第１ハウジング部１２の領域でプラグ接触部１８の外側に配置される。突部３８はＲＪ４５規格には対応していない。突部３８は、ＲＪ４５規格とは異なるプラグソケット上のラッチ部材とラッチ接続するために設けられている。このラッチ接続は、図１０及び図１１を参照して以下に詳細に説明する。
【００２５】
ラッチばね３２の突部３８に近接した第１ハウジング部１２の両側壁に、溝４０が設けられている。これらの溝４０は、プラグ１０がプラグソケット内に挿入される挿入方向と平行に配置されている。溝４０は、プラグ１０をプラグソケット内に案内するために、プラグソケット上の対応するウエブと共に使用される。これら溝４０は、突部３８の領域でプラグ１０の正確な案内を確保し、プラグソケット上の対応するラッチ部材に対して突部３８を正確に方向付けるように、突部３８を介したプラグ１０の信頼性の高いラッチ接続を特に保証する。
【００２６】
第１ラッチ部材及び突部３８のうち一方又は両方を介したプラグ１０とプラグソケットとのラッチ接続は、ラッチばね３２が押圧され第２ハウジング部１４に向かって変位するように解除できる。この解除は、第１ハウジング部１２のガイドすなわち開口４４を通ってケーブル２２とほぼ平行に挿入されるねじ回し４２を使用して、又は手動で行うことができる。ねじ回し４２の先端は、傾斜面４６でラッチばね３２を押圧する。従って、ラッチばね３２は変位し、第１ラッチ部材３６及び突部３８のラッチ接続は、プラグソケットの対応するラッチ部材から解除される。
【００２７】
図５は、本発明の第１好適実施形態に従ったプラグ１０の全部品を示す分解斜視図である。閉鎖片２０も、ハウジング部１２，１４と同様に、金属製か、或いはプラスチック材料製であるのが好適である。圧接コンタクト５２及び平板状コンタクト５４も、ラッチばね３２と同様に、打抜き加工、曲げ加工された金属板製であるのが好適である。ケーブル端部受容部１６及び絶縁ハウジング５６は、例えばプラスチック材料等の電気絶縁材料製である。圧接コンタクト５２及び平板状コンタクト５４は、絶縁ハウジング５６のポケットすなわち凹部に挿入され、印刷回路基板５８の導体パターン（図示せず）を介して対で互いに導電接続されている。
【００２８】
図６は、本発明の第２好適実施形態に従ったプラグ１０の斜視図である。本実施形態は、ケーブルがプラグ１０に挿入方向と平行ではなく、挿入方向に対してい約４５°の角度で接続される、すなわち４５°でプラグ１０に入る点で、図１ないし図５に示された実施形態とは異なる。従って、閉鎖片２０が回転可能な軸は、挿入方向に対して同じ角度で配置されている。
【００２９】
ハウジング部１２，１４の対応する構成において、ケーブル端部受容部１６、ラッチばね３２、圧接コンタクト５２、平板状コンタクト５４、絶縁ハウジング５６、及び任意であるが図６の形状と対照をなす閉鎖片２０も、第１好適実施形態のそれら部品と同一構造にしてもよい。
【００３０】
図７は、本発明の第３好適実施形態に従ったプラグ１０の斜視図である。本実施形態は、ケーブル２２が挿入方向に対して９０°の角度でプラグ１０に接続されている点で、図１ないし図６の実施形態と異なる。しかし、図６の第２好適実施形態とは対照的に、閉鎖片２０が異なって配置されたり、閉鎖片２０が回転可能である軸が挿入方向に対して対応する角度で配置されたりするのみならず、ハウジング全体、特に第１ハウジング部１２がＬ形状をなし、プラグ接触部１８が一方のアームの端部に配置され、閉鎖片２０が他方のアームの端部に配置される。
【００３１】
第１ハウジング部１２の適当な構成において、絶縁ハウジング５及び印刷回路基板６、第２ハウジング部１４、ケーブル端部受容部１６、閉鎖片２０、ラッチばね３２、圧接コンタクト５２及び平板状コンタクト５４は、第１好適実施形態のそれら部品と同一構造にしてもよい。
【００３２】
図８は、本発明の第３好適実施形態に従った、図７に示されるプラグ１０の別の斜視図である。図１の第１好適実施形態のように、第２ハウジング部１４及びケーブル端部受容部１６が開位置で示されている。
【００３３】
図９は、本発明の第４好適実施形態に従ったプラグ１０の斜視図である。本実施形態は、プラグ１０が封止（シーリング）スリーブ６２により保護されている点で上述した実施形態と異なる。封止スリーブは、プラグソケットと対面する端部に封止縁６４を、下側にロック解除ボタン６６を具備する。ロック解除ボタン６６及び封止縁６４を有する封止スリーブ６２は、例えばプラスチック材料又はゴム等の弾性材料で一体的に形成されるのが好適である。
【００３４】
或いは、封止スリーブ６２は複数の部品で製造され、ロック解除ボタン６６、封止縁６４は１又は２の異なる弾性材料製であり、接着剤、溶接、ラッチ係合、圧入又は同様の手段で封止スリーブ６２内に挿入される。この場合、封止スリーブ６２は、弾性材料製か、硬い材料製であってもよい。
【００３５】
いずれにせよ、封止スリーブ６２は、プラグ接触部１８を除きプラグ１０を実質的に取り囲む。特に、封止スリーブ６２はまた、ケーブル２２に密接に接続される。この密接接続は、インタロックフィット、及びケーブルと対面する封止スリーブ縁の弾性の一方又は両方により達成される。従って、この封止スリーブは、封止スリーブ６２及びケーブル２２間の環状間隙を埋め、密に閉鎖するＯリング又は同様の封止部材を具備するのが好適である。
【００３６】
図９はまた、ハウジング壁７４内でプラグ１０に対応するプラグソケット７０を示し、このプラグソケット７０は一部のみが示されている。プラグソケット７０は開口８４の周囲に周辺溝８６を有し、周辺溝８６にはプラグ１０のプラグ接触部１８が挿入できる。プラグ１０がプラグソケット７０内にある場合、プラグ１０の封止縁６４はプラグソケット７０の溝８６と係合する。封止縁６４及び溝８６間のインタロック接触の結果、及び封止スリーブ６２によるプラグ１０の完全な囲い込みの結果、プラグ１０及びプラグソケット７０内へのガス、液体及び塵の侵入が可能な限り防止される。こうして、侵入した導電性媒体又は絶縁体表面の導電性付着物により生ずる漏れ電流又はコンタクト間の短絡、侵入した腐食性媒体により生じたコンタクトの腐蝕、腐蝕の結果生ずるコンタクト間の接触抵抗の増加、及び侵入した塵により生ずる摩耗の増加は、実質的又は完全に防止することができる。このため、プラグ１０及びプラグソケット７０の動作信頼性は実質的に向上する。
【００３７】
プラグ１０の第１ラッチ部材３６は、最初の３実施形態に関連して上述した、ラッチばね３２に形成された２個の対称的なフックから構成される。前の実施形態では突部３８に対応する第２ラッチ部材は、図９では封止スリーブに隠されている。プラグ１０の第１及び第２ラッチ部材は、図示されていないプラグソケット７０の対応するラッチ部材に係止する。これら対応するラッチ部材は、封止縁６４により形成された面の背後で封止スリーブ６２により囲まれた室と係合し、この室内に配置された第２ラッチ部材とラッチ係合するために、プラグソケット７０上に配置され、例えば挿入方向に沿ってプラグソケット７０から突出する。
【００３８】
前の実施形態のように、プラグ１０及びプラグソケット７０の第２ラッチ部材間のラッチ接続は第１ラッチ部材間のラッチ接続に置換又は補完できるので、第２ラッチ部材間のラッチ接続により、保持力は部分的、大部分に又は全体的に印加される。
【００３９】
ロック解除ボタン６６はラッチばね３２に直接的又は間接的に作用するので、ラッチばね３２は上述したロック解除位置に変位でき、ロック解除ボタン６６を押圧する結果、第２ラッチ部材間のラッチ接続及び任意であるが第１ラッチ部材間のラッチ接続も解除される。従って、ロック解除ボタンは、その縁に例えば平坦な蛇腹構造の弾性領域を具備する。
【００４０】
第４実施形態に従った図９に図示されたプラグ１０は、封止スリーブ６２が、ケーブル２２に接続された組立後のプラグ上に載置される点で、第１実施形態に従った図１ないし図５に図示されたプラグから派生するのが好適である。このことはまた、封止スリーブ６２の対応する構成及び弾性の下で、例えば第２及び第３の実施形態と同様に挿入方向及びケーブル２２の間に所定角度が存在する場合に可能である。封止スリーブ６２が反転して嵌まることは特に簡単であり、弾性材料製で一体構造の封止スリーブ６２の場合に容易に実施できる。
【００４１】
図１０及び図１１は、本発明の別の好適実施形態に従ったプラグソケット７０の斜視図である。図１０及び図１１は、挿入方向の回りを１８０°回転した異なる２つの斜視図でプラグソケット７０を示している。プラグソケット７０は、例えば対応するコンタクトが挿入される一体プラスチック材料射出成形部品で一体形成されるか、又は結合された２個の部品から構成される。いずれの場合にも、プラグソケット７０の前部は、デバイスハウジングのハウジング壁７４（一部のみ図示される）の外側に配置されるのが好適であるフレーム７２と称される。或いは、フレーム７２はハウジング壁７４内に埋め込まれるか、又はフレーム７２の先端縁はハウジング壁７４と面一である。
【００４２】
後部７６は、従来のＲＪ４５プラグと互換性を有するようＲＪ４５規格に対応するのが好適である。フレーム７２は比較的大きな空隙断面を有し、従来の多くのＲＪ４５プラグはプラグソケットの外側であってもせいぜい若干拡大された断面を有するので、フレーム７２によって互換性は実質的にも制限されない。プラグソケット７０の２部品構造の場合、フレーム７２は、後部７６を形成する従来のＲＪ４５プラグソケットを補完するのが好適である。
【００４３】
図１０に見られるように、対称的に配置された第２面取り突起（図示せず）と共に、面取り突起７８が第１ラッチ部材を形成する。この第１ラッチ部材は、図４、図６及び図７に見られるプラグ１０上の第１ラッチ部材３６に対応する。プラグ１０がプラグソケット７０内に挿入されると、プラグ１０の第１ラッチ部材３６及びプラグソケット７０の第１ラッチ部材７８はラッチ接続を形成する。
【００４４】
図１０及び図１１に見られるように、プラグソケット７０はまた、対称的に配置された２個の三角歯からなる第２ラッチ部材８０を具備する。プラグソケット７０へプラグ１０を挿入すると、プラグ１０のラッチばね３２の突部３８は、プラグソケット７０の第２ラッチ部材の２個の歯とラッチ接続を形成する。このため、プラグ１０は、２つのラッチ接続、すなわちプラグソケット７０の１対の面取り突起からなる第１ラッチ部材７８とプラグ１０の第１ラッチ部材３６とのラッチ接続と、２個の三角歯からなる第２ラッチ部材８０と突部３８とのラッチ接続とによってプラグソケット７０内に保持される。この二重ラッチ接続の結果、プラグ１０はプラグソケット７０内に特に密でしっかりと保持される。両ラッチ接続は、ラッチばね３２が手動又は図４を参照して説明したようにロック解除位置へねじ回しを使用して変位されると、同時に又は少なくともほぼ同時に解除される。
【００４５】
プラグソケット７０はまた、フレーム７２の両側壁上に対称的に配置されたウエブ８２を具備する。これらウエブ８２は、プラグ１０がプラグソケット７０挿入される挿入方向と平行に配置される。ウエブ８２はプラグ１０上の溝４０に対応し、溝と共にプラグソケット７０内でプラグ１０を精確且つ信頼性の高く案内することを保証する。
【００４６】
実施形態に関する上述の説明から理解されるように、本特許出願で意味する「ラッチ部材」の用語はまた、挿入方向に対して対称的に配置されたいくつかの特徴を含む。特に、２個の突部３８、２個の面取り突起７８、又はプラグソケット７０の第２ラッチ部材８０を形成する２個の三角歯は、各々の場合、単一のラッチ部材と称される。
【００４７】
本発明は、上述した実施形態に加えて、例えばハウジングの構造におけるプラグ接触部１８の構成、そのロック機構、ケーブルの配置又はロック解除を容易にするデバイスにおけるラッチ部材３６，３８，７８，８０の構成及び配置、又は例えば開口４４の配置及び方向等、実施形態で異なる他の種々の可能な実施形態からなる。
【００４８】
特に、プラグ１０及びプラグソケット７０の部品は規格に対応しなくてもよく、プラグ１０の一部及びプラグソケット７０の一部は、例えば異なるＲＪ規格等の、ＲＪ規格以外の規格に対応してもよい。さらに別の実施形態によれば、ラッチ接続は、レバー構造により又はキーを介して、開口４４内でねじ回しを回しすなわち異なる移動をさせることにより、ロック解除することができる。
【００４９】
第２ラッチ接続を形成するため、２つの構造からなる２個の突部３８及び第２ラッチ部材８０の代わりに、１個のみのラッチフックをラッチばね３２上に設け、例えば凹部又は切欠等の対応する構造をプラグソケット７０に設けてもよい。好適には、ラッチフック及びラッチフックに対応する構造は、プラグ１０及びプラグソケット７０の中央に配置される。
【００５０】
図１０及び図１１を参照すると、プラグソケット７０又はフレーム７２の前部はデバイスハウジングのハウジング壁７４の外側に配置されるのが好適であることが開示された。フレーム７２は、挿入方向に沿ってハウジングにラッチされるか、ハウジングのねじ止めされるか、又は一体鋳造部品としてプラグソケット７０の後部７６又はハウジング壁７４と一体形成されるのが好適である。或いはフレーム７２は、プラグソケット７０の後部７６へ挿入方向に対して横断方向又は縦方向のプラグイン接続により変位可能にラッチされ、ねじ止めされ又は接続され、或いはハウジング壁７４にラッチ又はねじ止めされる。
【００５１】
上述の実施形態において、プラグソケット７０内でプラグ１０を精確且つ信頼性高く案内するために、溝４０はプラグ１０に設けられ、対応するウエブ８２はプラグソケットに設けられる。或いは、プラグソケット７０にプラグ１０を案内し、プラグのラッチ部材３６，３８，８０，７８の精確な相対方向を確保するために、例えばプラグ１０のウエブ及びプラグソケット７０の対応する溝、又はプラグソケット７０内でプラグ１０を外方へ案内すること等の他の手段が設けられる。
【００５２】
前述の実施形態は、直線プラグ、並びに挿入方向及びケーブルがプラグ１０から延びる方向間の角度が４５°及び９０°であるプラグからなる。また、本発明は、用途及び考慮すべき空間条件に適合させてケーブル及び挿入方向の間が任意の角度で有利に実施されてもよい。
【００５３】
図６を参照して説明した第２実施形態において、ケーブル端部受容部１６は挿入方向と平行に配置されているのに対し、ケーブルの方向は挿入方向とは異なる。逆に、図７及び図８を参照して説明した第３実施形態において、ケーブル端部受容部１６はケーブルが延びる方向と平行に配置されているのに対し、受容部１６及びケーブルの双方は挿入方向に対して直角に配置されている。別の好適な変形例によれば、ケーブル端部受容部１６は、ケーブルがプラグ１０から延びる方向に対して任意の角度、又は挿入方向に対して任意の角度をとる。
【００５４】
図１０及び図１１を参照して説明した実施形態によれば、プラグソケット７０は単一のプラグ１０を受容するために設けられる。或いは、本発明に従ったプラグソケットは、１列、２次元格子又は他の配列の複数のプラグ１０を受容するためのマルチプラグソケットであってもよい。２個のプラグソケット又は「後面対後面」の２列のプラグソケットの配置は特に好適であるので、プラグソケットに挿入される複数のプラグ１０が存在する場合、例えば全プラグ１０のラッチばね３２又はロック解除ボタン６６はロック解除用にアクセス可能である。
【図面の簡単な説明】
【００５５】
【図１】本発明の第１好適実施形態を示す斜視図である。
【図２】第１好適実施形態の別の斜視図である。
【図３】第１好適実施形態のさらに別の斜視図である。
【図４】第１好適実施形態のさらに別の斜視図である。
【図５】第１好適実施形態の分解斜視図である。
【図６】本発明の第２好適実施形態を示す斜視図である。
【図７】本発明の第３好適実施形態を示す斜視図である。
【図８】第３好適実施形態の別の斜視図である。
【図９】本発明の第４好適実施形態を示す斜視図である。
【図１０】本発明の第５好適実施形態を示す斜視図である。
【図１１】第５好適実施形態の別の斜視図である。
【符号の説明】
【００５６】
１０  電気プラグ
１２  第１ハウジング部
１４  第２ハウジング部
１６  ケーブル端部受容部（ケーブル接続領域）
１８  プラグ接触部
２０  閉鎖片
２２  ケーブル
３２  ラッチばね
３６  第１（プラグ）ラッチ部材
３８  第２（プラグ）ラッチ部材
４０  溝
４２  ねじ回し
４４  開口（受容部）
５２  圧接コンタクト（ケーブル接続領域）
５４  平板状コンタクト（コンタクト）
６２  封止スリーブ
７０  プラグソケット
７２  フレーム（第１部分）
７４  ハウジング壁（デバイスハウジング）
７６  後部（プラグ接触部；第２部分）
７８  第１（ソケット）ラッチ部材
８０  第２（ソケット）ラッチ部材
８２  ウエブ
【図１】
2006049325.tif 000003
【図２】
2006049325.tif 000004
【図３】
2006049325.tif 000005
【図４】
2006049325.tif 000006
【図５】
2006049325.tif 000007
【図６】
2006049325.tif 000008
【図７】
2006049325.tif 000009
【図８】
2006049325.tif 000010
【図９】
2006049325.tif 000011
【図１０】
2006049325.tif 000012
【図１１】
2006049325.tif 000013